(57)【要約】【課題】空調効率が向上された空気調和装置を得るものである。【解決手段】本発明に係る空気調和装置１は、上部と下部に開口２ａ、２ｂを有する筐体２と、筐体２上部の開口２ａと筐体２下部の開口２ｂとを連通する風路に設けられた熱交換器３と、該風路に設けられたファン４と、暖房運転時に、筐体２上部の開口２ａが吸込口で、且つ、筐体２下部の開口２ｂが吹出口になるようにファン４を制御し、冷房運転時に、筐体２上部の開口２ａが吹出口で、且つ、筐体２下部の開口２ｂが吸込口になるようにファン４を制御するコントローラ８と、を備えたものである。【選択図】図１
2014092287.tif 000002
【特許請求の範囲】
【請求項１】
上部と下部に開口を有する筐体と、
前記筐体上部の開口と前記筐体下部の開口とを連通する風路に設けられた熱交換器と、
前記風路に設けられたファンと、
暖房運転時に、前記筐体上部の開口が吸込口で、且つ、前記筐体下部の開口が吹出口になるように前記ファンを制御し、冷房運転時に、前記筐体上部の開口が吹出口で、且つ、前記筐体下部の開口が吸込口になるように前記ファンを制御する制御手段と、
を備えたことを特徴とする空気調和装置。
【請求項２】
前記ファンは、プロペラファンであり、
前記制御手段は、暖房運転時と冷房運転時とで、前記プロペラファンの回転方向を反転させる、
ことを特徴とする請求項１に記載の空気調和装置。
【請求項３】
前記ファンは、複数である、
ことを特徴とする請求項１又は２に記載の空気調和装置。
【請求項４】
前記ファンは、前記筐体上部の開口と前記熱交換器との間の前記風路と、前記筐体下部の開口と前記熱交換器との間の前記風路と、に設けられた、
ことを特徴とする請求項３に記載の空気調和装置。
【請求項５】
前記筐体は、前記筐体上部の開口と前記筐体下部の開口とが設けられた面を有し、
前記ファンは、前記面に沿って並設された、
ことを特徴とする請求項３又は４に記載の空気調和装置。
【請求項６】
前記筐体は、前記筐体上部の開口と前記筐体下部の開口とが設けられた面を複数有し、
前記ファンは、前記複数の面のそれぞれに設けられた、
ことを特徴とする請求項３乃至５のいずれか一項に記載の空気調和装置。
【請求項７】
前記複数の面の中央に設けられ、前記ファンからの気流を受けるガイド部材を備えた、
ことを特徴とする請求項６に記載の空気調和装置。
【請求項８】
人感センサを備え、
前記制御手段は、前記人感センサの検出結果から人の居る位置を特定して、前記ファンのそれぞれの、風量及び風向の少なくともいずれか一方を制御する、
ことを特徴とする請求項３乃至７のいずれか一項に記載の空気調和装置。
【請求項９】
操作部を備え、
前記ファンのそれぞれは、前記操作部の操作によって、風量及び風向の少なくともいずれか一方が切り替えられる、
ことを特徴とする請求項３乃至７のいずれか一項に記載の空気調和装置。
【請求項１０】
フィルタを備え、
前記フィルタは、前記筐体上部の開口と前記筐体下部の開口とのいずれか一方に取り付けられた、
ことを特徴とする請求項１乃至９のいずれか一項に記載の空気調和装置。
【請求項１１】
フィルタを備え、
前記フィルタは、前記筐体上部の開口と前記筐体下部の開口との両方に取り付けられた、
ことを特徴とする請求項１乃至９のいずれか一項に記載の空気調和装置。
【請求項１２】
上部と下部に開口を有する筐体と、前記筐体上部の開口と前記筐体下部の開口とを連通する風路に設けられた熱交換器と、前記風路に設けられたファンと、を備えた空気調和装置の制御方法であって、
暖房運転時に、前記筐体上部の開口が吸込口で、且つ、前記筐体下部の開口が吹出口になるように前記ファンを制御し、
冷房運転時に、前記筐体上部の開口が吹出口で、且つ、前記筐体下部の開口が吸込口になるように前記ファンを制御する、
ことを特徴とする空気調和装置の制御方法。
【発明の詳細な説明】
【技術分野】
【０００１】
本発明は、空気調和装置、及び、空気調和装置の制御方法に関するものである。
【背景技術】
【０００２】
従来の空気調和装置として、筐体上部と筐体下部とに吹出口を有し、熱交換器で熱交換された空気を通過させる風路が、筐体上部に設けられた吹出口に至る風路と、筐体下部に設けられた吹出口に至る風路と、に分岐し、その分岐部に吹出口切替パネルが設けられたものがある（特許文献１、特許文献２を参照。）。
吹出口切替パネルは、コントローラによって、筐体上部に設けられた吹出口に至る風路と、筐体下部に設けられた吹出口に至る風路と、のいずれか一方を閉塞状態にするように、駆動される。
コントローラは、暖房運転時には、筐体上部に設けられた吹出口に至る風路が閉塞状態になるように、吹出口切替パネルを駆動させる。
コントローラは、冷房運転時には、筐体下部に設けられた吹出口に至る風路が閉塞状態になるように、吹出口切替パネルを駆動させる。
【０００３】
このような空気調和装置では、暖房運転時に、暖気が筐体下部に設けられた吹出口から吹き出されることとなり、暖気が天井付近に滞留することが抑制される。
また、冷房運転時に、冷気が筐体上部に設けられた吹出口から吹き出されることとなり、冷気が床面付近に滞留することが抑制される。
そのため、暖房運転時及び冷房運転時に生じる室内の温度差が低減され、快適性、省エネ性等が向上される。
【先行技術文献】
【特許文献】
【０００４】
【特許文献１】特開２００５−６９６５２号公報（段落［００１７］−［００１８］、図４−５）
【特許文献２】特開平９−２１７９５４号公報（段落［０００８］−［００１５］、図１−４）
【発明の概要】
【発明が解決しようとする課題】
【０００５】
従来の空気調和装置では、熱交換器で熱交換された空気が分岐部を経由して吹出口に導かれるため、熱交換器から吹出口に至るまでの風路が長くなり、空調効率が低下してしまうという問題点があった。
【０００６】
本発明は、上記のような課題を解決するためになされたもので、空調効率が向上された空気調和装置を得るものである。
また、本発明は、空調効率が向上された空気調和装置の制御方法を得るものである。
【課題を解決するための手段】
【０００７】
本発明に係る空気調和装置は、上部と下部に開口を有する筐体と、前記筐体上部の開口と前記筐体下部の開口とを連通する風路に設けられた熱交換器と、前記風路に設けられたファンと、暖房運転時に、前記筐体上部の開口が吸込口で、且つ、前記筐体下部の開口が吹出口になるように前記ファンを制御し、冷房運転時に、前記筐体上部の開口が吹出口で、且つ、前記筐体下部の開口が吸込口になるように前記ファンを制御する制御手段と、を備えたものである。
【発明の効果】
【０００８】
本発明に係る空気調和装置は、暖房運転時に、筐体上部の開口が吸込口で、且つ、筐体下部の開口が吹出口になるようにファンを制御し、冷房運転時に、筐体上部の開口が吹出口で、且つ、筐体下部の開口が吸込口になるようにファンを制御する制御手段を備えることで、暖房運転時及び冷房運転時に、熱交換器で空調された空気が、分岐部を経由することなく吹出口に導かれるため、熱交換器から吹出口に至るまでの風路が長くなることがなく、空調効率が向上される。
【図面の簡単な説明】
【０００９】
【図１】本発明の実施の形態１に係る空気調和装置の、側面視した状態での内部構成を示す図である。
【図２】本発明の実施の形態１に係る空気調和装置の、側面視した状態での内部構成を示す図である。
【図３】本発明の実施の形態１に係る空気調和装置の、暖房運転時の動作を示す図である。
【図４】本発明の実施の形態１に係る空気調和装置の、冷房運転時の動作を示す図である。
【図５】本発明の実施の形態１に係る空気調和装置の変形例の、暖房運転時の動作を示す図である。
【図６】本発明の実施の形態１に係る空気調和装置の変形例の、冷房運転時の動作を示す図である。
【図７】本発明の実施の形態２に係る空気調和装置の、側面視した状態での内部構成を示す図である。
【図８】本発明の実施の形態２に係る空気調和装置の、側面視した状態での内部構成を示す図である。
【図９】本発明の実施の形態２に係る空気調和装置の、暖房運転時の動作を示す図である。
【図１０】本発明の実施の形態２に係る空気調和装置の、冷房運転時の動作を示す図である。
【図１１】本発明の実施の形態２に係る空気調和装置の変形例の、暖房運転時の動作を示す図である。
【図１２】本発明の実施の形態２に係る空気調和装置の変形例の、冷房運転時の動作を示す図である。
【図１３】本発明の実施の形態３に係る空気調和装置の、正面視した状態でのファンと人感センサの配置を示す図である。
【図１４】本発明の実施の形態３に係る空気調和装置の変形例の、正面視した状態でのファンと人感センサの配置を示す図である。
【図１５】本発明の実施の形態４に係る空気調和装置の、斜方視した状態での内部構成を示す図である。
【図１６】本発明の実施の形態４に係る空気調和装置の、斜方視した状態での内部構成を示す図である。
【発明を実施するための形態】
【００１０】
以下、本発明に係る空気調和装置について、図面を用いて説明する。
なお、本発明における「空気調和装置」は、室内機と室外機とを有する空気調和システムの室内機に相当する。
また、各図において、同一又は類似する部材又は部分には同一の符号を付している。
また、細かい構造については、適宜図示を簡略化又は省略している。
また、重複又は類似する説明については、適宜簡略化又は省略している。
【００１１】
実施の形態１．
実施の形態１に係る空気調和装置について説明する。
（空気調和装置の構成）
以下に、実施の形態１に係る空気調和装置の構成について説明する。
図１は、実施の形態１に係る空気調和装置の、側面視した状態での内部構成を示す図である。
図１に示すように、空気調和装置１は、筐体２と、熱交換器３と、ファン４と、ドレンパン５と、吸込フィルタ６と、フィルタ駆動機構７と、コントローラ８と、を有する。
コントローラ８は、本発明における「制御手段」に相当する。
【００１２】
空気調和装置１の筐体２は、天井Ａと床面Ｂとの間の距離とほぼ等しい高さ寸法を有する。
高さ寸法は、天井Ａと床面Ｂとの間の距離とほぼ等しくなくてもよく、例えば、筐体２の上面と天井Ａとの間に、又は、筐体２の下面と床面Ｂとの間に、空間、壁面、他の装置等が設けられてもよい。
例えば、筐体２の背面側には、室外機（図示せず）に接続された冷媒配管等が埋設された梁Ｃ等が設けられる。
筐体２の正面側には、上部に開口２ａが設けられる。
筐体２の正面側には、下部に開口２ｂが設けられる。
開口２ｂの開口面積は、開口２ａの開口面積と比較して広い。
【００１３】
熱交換器３は、例えば、梁Ｃ等に埋設された冷媒配管に接続される。
熱交換器３の上方には、ファン４が設けられる。
ファン４が稼働状態になることによって、筐体２内に空気が吸い込まれ、熱交換器３においてその空気と冷媒とが熱交換する。
ファン４は、正方向と負方向とに、羽根の回転方向を切替自在なプロペラファンである。
ファン４は、送風効率、つまり回転数当たりの送風量が、羽根の回転方向に拘わらず同一でもよく、また、羽根の回転方向に依存して変化してもよい。
ファン４は、ファン４から吹き出される気流が上下方向になるように、設けられる。
ファン４が、送風効率が羽根の回転方向に依存して変化するものである場合には、ファン４は、正方向の回転時にファン４から吹き出される気流が下向きになるように、設けられる。
なお、送風効率が高い方向の回転が、正方向の回転であり、送風効率が低い方向の回転が、負方向の回転である。
【００１４】
熱交換器３の下方には、ドレンパン５が設けられる。
ドレンパン５は、熱交換器３から滴下する凝縮水を受ける。
例えば、ドレンパン５に貯留された凝縮水は、梁Ｃ等に埋設されたドレン配管を介して筐体２の外部に排出される。
【００１５】
吸込フィルタ６は、筐体２に吸い込まれる気流を受ける。
吸込フィルタ６は、開口２ａ及び開口２ｂのどちらか一方に位置するように、フィルタ駆動機構７によって上下方向に駆動される。
吸込フィルタ６は、開口面積の広い開口２ｂとほぼ等しい面積である。
【００１６】
フィルタ駆動機構７は、例えば、吸込フィルタ６を上下方向に移動自在に保持するガイドレールと、吸込フィルタ６の移動範囲の上下に設けられたローラ部材と、ローラ部材間に張られ、吸込フィルタ６が固定されたワイヤ部材と、上側又は下側のローラ部材を回動するモータ部材と、で構成される。
フィルタ駆動機構７は、吸込フィルタ６を上下方向に移動できれば、他の機構でもよく、使用者、保守作業者等によって手動で移動されてもよい。
図２は、実施の形態１に係る空気調和装置の、側面視した状態での内部構成を示す図である。
また、図２に示すように、フィルタ駆動機構７が設けられず、使用者、保守作業者等が、開口２ａ用の吸込フィルタ６ａと、開口２ｂ用の吸込フィルタ６ｂと、を付け替えてもよい。
開口２ａ用の吸込フィルタ６ａと、開口２ｂ用の吸込フィルタ６ｂと、が１つの吸込フィルタであってもよい。
そのような場合には、吸込フィルタは、開口面積の広い開口２ｂとほぼ等しい面積である。
【００１７】
ファン４は、筐体２の左右方向、又は、筐体２の前後方向に、１つだけ設けられてもよく、また、複数設けられてもよい。
ファン４が複数設けられる場合には、開口２ａ、開口２ｂ、筐体２内の部材等が、複数設けられてもよく、また、拡張された１つが設けられてもよい。
【００１８】
コントローラ８には、ファン４とフィルタ駆動機構７とが接続される。
コントローラ８には、マイクロプロセッサ、シーケンサ等が含まれる。
コントローラ８は、筐体２の内部に設けられてもよく、空気調和装置１が集中管理される場合等において、筐体２の外部に設けられてもよい。
なお、図１及び図２において、点線は、信号線を示している。
【００１９】
（空気調和装置の動作）
以下に、実施の形態１に係る空気調和装置の動作について説明する。
まず、実施の形態１に係る空気調和装置の暖房運転時の動作について説明する。
図３は、実施の形態１に係る空気調和装置の、暖房運転時の動作を示す図である。
コントローラ８は、フィルタ駆動機構７を駆動させて、吸込フィルタ６を開口２ａに位置させる。
図２のように、フィルタ駆動機構７が設けられない場合には、使用者、保守作業者等は、開口２ｂから吸込フィルタ６ｂを取り外し、開口２ａに吸込フィルタ６ａを取り付ける。
コントローラ８は、ファン４を正方向に回転させる。
【００２０】
次に、実施の形態１に係る空気調和装置の冷房運転時の動作について説明する。
図４は、実施の形態１に係る空気調和装置の、冷房運転時の動作を示す図である。
コントローラ８は、フィルタ駆動機構７を駆動させて、吸込フィルタ６を開口２ｂに位置させる。
図２のように、フィルタ駆動機構７が設けられない場合には、使用者、保守作業者等は、開口２ａから吸込フィルタ６ａを取り外し、開口２ｂに吸込フィルタ６ｂを取り付ける。
コントローラ８は、ファン４を負方向に回転させる。
【００２１】
（空気調和装置の作用）
以下に、実施の形態１に係る空気調和装置の作用について説明する。
実施の形態１に係る空気調和装置では、暖房運転時に、暖気が開口２ｂから吹き出されることとなり、暖気が天井付近に滞留することが抑制される。
また、冷房運転時に、冷気が開口２ａから吹き出されることとなり、冷気が床面付近に滞留することが抑制される。
そのため、暖房運転時及び冷房運転時に生じる室内の温度差が低減され、快適性、省エネ性等が向上される。
そして、実施の形態１に係る空気調和装置では、暖房運転時及び冷房運転時に、熱交換器３で熱交換された空気が、分岐部を経由することなく吹出口に導かれるため、熱交換器３から吹出口に至るまでの風路が長くなることがなく、空調効率が向上される。
【００２２】
実施の形態１に係る空気調和装置では、ファン４が、暖房運転時に正方向に、つまり送風効率の高い方向に回転して、下向きの気流を生じるように、設けられる。
暖房運転時は、ファン４が熱交換器３に向かって送風することになり、冷房運転時と比較して、ファン４から吹き出される気流の受ける抵抗が大きい。
ファン４がそのように設けられることで、暖房運転と冷房運転とを均一に機能させることができる。
なお、ファン４の回転数は、正方向の回転時と負方向の回転時とで同一である必要はない。
また、ファン４の回転数は、一定である必要はなく、例えば、設定温度等に応じて制御されてもよい。
ファン４が、羽根の回転方向に拘わらず送風効率が同一のものである場合には、コントローラ８は、冷房運転時の回転数と比較して暖房運転時の回転数が大きくなるように、ファン４を制御する。
また、ファン４が、暖房運転時に負方向に、つまり送風効率の低い方向に回転して、下向きの気流を生じるように、設けられてもよく、そのような場合も、コントローラ８は、冷房運転時の回転数と比較して暖房運転時の回転数が大きくなるように、ファン４を制御する。
【００２３】
実施の形態１に係る空気調和装置では、冷房運転時に、気流が熱交換器３を上向きに通過する。
冷房運転時に、気流が熱交換器３を下向きに通過する場合には、熱交換器３から滴下する凝縮水が気流によって付勢され、凝縮水がドレンパン５の外部、或いは、筐体２の外部に飛散してしまうため、大型のドレンパン５が用いられる等の工夫が必要となる。
気流が熱交換器３を上向きに通過することで、凝縮水の飛散が抑制され、ドレンパン５が小型化される。
【００２４】
実施の形態１に係る空気調和装置では、開口２ｂの開口面積が開口２ａの開口面積と比較して広い。
そのため、床面Ｂ付近、つまり人が存在する高さ領域に吹き出される気流の風圧が低減されることとなり、快適性が向上される。
なお、開口２ａの開口面積と開口２ｂの開口面積とが同一であってもよい。
そのような場合には、開口２ａ用の吸込フィルタ６ａと、開口２ｂ用の吸込フィルタ６ｂと、を共通化することができる。
【００２５】
（変形例）
空気調和装置１では、ファン４が、プロペラファンであるが、送風方向を切替自在なファンであれば、他の形式のファンであってもよい。
また、ファン４が、送風方向を切替不能なファン、又は、送風方向を切り替えた際の送風効率の変化が大きいファンであり、暖房運転時と冷房運転時とで、ファン自体の上下を反転させる駆動機構が設けられてもよい。
駆動機構は、コントローラ８によって駆動されてもよく、使用者、保守作業者等によって手動で駆動されてもよい。
プロペラファンは、送風方向を切り替えた際の送風効率の変化が小さい。
そのため、ファン４が、プロペラファンであり、コントローラ８が、ファン４の回転方向を反転させる場合には、暖房運転と冷房運転とを均一に機能させることが低コストで実現される。
【００２６】
また、ファン４が、一対のファン４ａ、４ｂであってもよい。
ファン４ａとファン４ｂとは、正方向の回転時の送風効率と比較して負方向の回転時の送風効率が低いファンである。
図５は、実施の形態１に係る空気調和装置の変形例の、暖房運転時の動作を示す図である。
図６は、実施の形態１に係る空気調和装置の変形例の、冷房運転時の動作を示す図である。
ファン４ａとファン４ｂとは、図５、６に示すように、一方のファン４ａが、正方向の回転時に下向きに送風し、他方のファン４ｂが、正方向の回転時に上向きに送風するように設けられる。
図５に示すように、暖房運転時には、コントローラ８は、ファン４ａのみを正方向に回転させる。
図６に示すように、冷房運転時には、コントローラ８は、ファン４ｂのみを正方向に回転させる。
【００２７】
なお、ファン４ａとファン４ｂとは、筐体２の左右方向、又は、筐体２の前後方向に、並設されてもよく、筐体２の上下方向に並設されてもよい。
ファン４ａとファン４ｂとが、筐体２の上下方向に並設される場合には、下向きに送風するファン４ａが下側に設けられ、上向きに送風するファン４ｂが上側に設けられるとよい。
そのように設けられることで、ファン４ａ及びファン４ｂから吹き出される気流の受ける抵抗が、低減される。
また、ファン４が、筐体２の左右方向、又は、筐体２の前後方向に、複数設けられる場合に、複数のファン４の一部のみが、一対のファン４ａ、４ｂであってもよい。
【００２８】
空気調和装置１では、吸込フィルタ６が、開口２ａと開口２ｂのうち吸込口として機能する開口２ａ、２ｂにのみ設けられているが、開口２ａ用の吸込フィルタ６ａと、開口２ｂ用の吸込フィルタ６ｂと、の両方が取り付けられていてもよい。
また、開口２ａ用の吸込フィルタ６ａと、開口２ｂ用の吸込フィルタ６ｂと、が一体であってもよい。
そのような場合には、吸込口として機能していた開口２ａ、２ｂが吹出口として機能するように変化する際、吹出口として機能する開口２ａ、２ｂに設けられた吸込フィルタ６ａ、６ｂに蓄積された塵埃が、室内に吹き出されてしまう。
そのため、暖房運転と冷房運転とが切り替わった際に、例えば、吹出口として機能する開口２ａ、２ｂに設けられた吸込フィルタ６ａ、６ｂの清掃を促す警告が発せられる、或いは、吹出口として機能する開口２ａ、２ｂに設けられた吸込フィルタ６ａ、６ｂが自動で清掃されるとよい。
また、吸込フィルタ６ａ、６ｂに、例えば、塵埃を収集しやすく、塵埃を放出しにくいフィルタ等が用いられてもよい。
吸込フィルタ６が、開口２ａと開口２ｂのうち吸込口として機能する開口２ａ、２ｂにのみ設けられる場合には、ファン４から吹き出される気流が受ける抵抗が低減され、空調効率が更に向上される。
【００２９】
実施の形態２．
実施の形態２に係る空気調和装置について説明する。
なお、以下では、実施の形態１に係る空気調和装置と重複又は類似する説明については、適宜簡略化又は省略している。
【００３０】
（空気調和装置の構成）
以下に、実施の形態２に係る空気調和装置の構成について説明する。
図７は、実施の形態２に係る空気調和装置の、側面視した状態での内部構成を示す図である。
図７に示すように、空気調和装置１１は、筐体２と、熱交換器３と、上側ファン１２と、下側ファン１３と、ドレンパン５と、吸込フィルタ６と、フィルタ駆動機構７と、コントローラ１４と、を有する。
コントローラ１４には、上側ファン１２と下側ファン１３とフィルタ駆動機構７とが接続される。
コントローラ１４は、本発明における「制御手段」に相当する。
【００３１】
図８は、実施の形態２に係る空気調和装置の、側面視した状態での内部構成を示す図である。
図８に示すように、フィルタ駆動機構７が設けられず、使用者、保守作業者等が、開口２ａ用の吸込フィルタ６ａと、開口２ｂ用の吸込フィルタ６ｂと、を付け替えてもよい。
【００３２】
上側ファン１２と下側ファン１３とは、正方向と負方向とに、羽根の回転方向を切替自在なプロペラファンである。
上側ファン１２は、開口２ａの後方に設けられる。
上側ファン１２は、熱交換器３と開口２ａとの間の風路に設けられればよく、羽根の回転軸が筐体２の前後方向と平行になるように設けられなくてもよい。
下側ファン１３は、開口２ｂの後方に設けられる。
下側ファン１３は、熱交換器３と開口２ｂとの間の風路に設けられればよく、羽根の回転軸が筐体２の前後方向と平行になるように設けられなくてもよい。
筐体２の上面と天井Ａとの間に、空間、壁面、他の装置等が設けられる場合には、上側ファン１２は、上向きに気流を吹き出してもよい。
筐体２の下面と床面Ｂとの間に、空間、壁面、他の装置等が設けられる場合には、下側ファン１３は、下向きに気流を吹き出してもよい。
【００３３】
上側ファン１２と下側ファン１３とは、送風効率が、羽根の回転方向に拘わらず同一でもよく、また、羽根の回転方向に依存して変化してもよい。
上側ファン１２と下側ファン１３とが、送風効率が羽根の回転方向に依存して変化する上側ファン１２と下側ファン１３とである場合には、上側ファン１２が、正方向の回転時に上側ファン１２から吹き出される気流が開口２ａに向かうように設けられ、下側ファン１３が、正方向の回転時に下側ファン１３から吹き出される気流が開口２ｂに向かうように設けられる。
【００３４】
上側ファン１２と下側ファン１３とは、筐体２の左右方向、又は、筐体２の上下方向に、１つだけ設けられてもよく、また、複数設けられてもよい。
上側ファン１２と下側ファン１３とが複数設けられる場合には、開口２ａ、開口２ｂ、筐体２内の部材等が、複数設けられてもよく、また、拡張された１つが設けられてもよい。
【００３５】
（空気調和装置の動作）
以下に、実施の形態２に係る空気調和装置の動作について説明する。
まず、実施の形態２に係る空気調和装置の暖房運転時の動作について説明する。
図９は、実施の形態２に係る空気調和装置の、暖房運転時の動作を示す図である。
コントローラ１４は、上側ファン１２を負方向に回転させ、下側ファン１３を正方向に回転させる。
【００３６】
次に、実施の形態２に係る空気調和装置の冷房運転時の動作について説明する。
図１０は、実施の形態２に係る空気調和装置の、冷房運転時の動作を示す図である。
コントローラ１４は、上側ファン１２を正方向に回転させ、下側ファン１３を負方向に回転させる。
【００３７】
（空気調和装置の作用）
以下に、実施の形態２に係る空気調和装置の作用について説明する。
実施の形態２に係る空気調和装置では、暖房運転時及び冷房運転時に、上側ファン１２と下側ファン１３との両方が稼働される。
そのため、筐体２内に吸い込まれて吹き出される気流の風量が増大され、暖房運転と冷房運転とにおける空調能力が向上される。
【００３８】
実施の形態２に係る空気調和装置では、上側ファン１２が、冷房運転時に、正方向、つまり送風効率の高い方向に回転して、吹出口の方向に気流を生じるように、又、下側ファン１３が、暖房運転時に、正方向、つまり送風効率の高い方向に回転して、吹出口の方向に気流を生じるように、設けられる。
そのように設けられることで、上側ファン１２及び下側ファン１３から吹き出される気流の受ける抵抗が、低減される。
【００３９】
（変形例）
空気調和装置１１では、暖房運転時に、上側ファン１２と下側ファン１３との両方が稼働されるが、省エネモード設定時、又は、低風量運転時には、下側ファン１３のみが稼働され、省エネモード設定、又は、低風量運転が解除された場合に、上側ファン１２と下側ファン１３との両方が稼働されてもよい。
空気調和装置１１では、冷房運転時に、上側ファン１２と下側ファン１３との両方が稼働されるが、省エネモード設定時、又は、低風量運転時には、上側ファン１２のみが稼働され、省エネモード設定、又は、低風量運転が解除された場合に、上側ファン１２と下側ファン１３との両方が稼働されてもよい。
【００４０】
空気調和装置１１では、上側ファン１２と下側ファン１３とが、送風方向を切り替えているが、上側ファン１２と下側ファン１３とのそれぞれが、一対の上側ファン１２ａ、１２ｂと一対の下側ファン１３ａ、１３ｂとであってもよい。
一対の上側ファン１２ａ、１２ｂと一対の下側ファン１３ａ、１３ｂとは、正方向の回転時の送風効率と比較して負方向の回転時の送風効率が低いファンである。
図１１は、実施の形態２に係る空気調和装置の変形例の、暖房運転時の動作を示す図である。
図１２は、実施の形態２に係る空気調和装置の変形例の、冷房運転時の動作を示す図である。
上側ファン１２ａと上側ファン１２ｂと下側ファン１３ａと下側ファン１３ｂとは、図１１、図１２に示すように、上側ファン１２ａと下側ファン１３ａとが、正方向の回転時に開口２ａ、２ｂに向かって送風し、上側ファン１２ｂと下側ファン１３ｂとが、正方向の回転時に熱交換器３に向かって送風するように設けられる。
図１１に示すように、暖房運転時には、コントローラ１４は、上側ファン１２ｂと下側ファン１３ａとを正方向に回転させる。
図１２に示すように、冷房運転時には、コントローラ１４は、上側ファン１２ａと下側ファン１３ｂとを正方向に回転させる。
【００４１】
なお、上側ファン１２ａと上側ファン１２ｂとは、又は、下側ファン１３ａと下側ファン１３ｂとは、筐体２の左右方向又は上下方向に並設されてもよく、筐体２の前後方向に並設されてもよい。
上側ファン１２ａと上側ファン１２ｂとが、又は、下側ファン１３ａと下側ファン１３ｂとが、筐体２の前後方向に並設される場合には、開口２ａ、２ｂに向かって送風する上側ファン１２ａと下側ファン１３ａとが正面側に設けられ、熱交換器３に向かって送風する上側ファン１２ｂと下側ファン１３ｂとが背面側に設けられるとよい。
そのように設けられることで、上側ファン１２ａ、１２ｂ及び下側ファン１３ａ、１３ｂから吹き出される気流の受ける抵抗が、低減される。
また、上側ファン１２又は下側ファン１３が、筐体２の左右方向、又は、筐体２の上下方向に、複数設けられる場合に、複数の上側ファン１２の一部のみ、又は、複数の下側ファン１３の一部のみが、一対のファン１２ａ、１２ｂ、１３ａ、１３ｂであってもよい。
また、上側ファン１２と下側ファン１３とのいずれか一方のみが、一対のファン１２ａ、１２ｂ、１３ａ、１３ｂであってもよい。
【００４２】
実施の形態３．
実施の形態３に係る空気調和装置について説明する。
なお、以下では、実施の形態１及び実施の形態２に係る空気調和装置と重複又は類似する説明については、適宜簡略化又は省略している。
【００４３】
（空気調和装置の構成）
以下に、実施の形態３に係る空気調和装置の構成について説明する。
図１３は、実施の形態３に係る空気調和装置の、正面視した状態でのファンと人感センサの配置を示す図である。
図１３に示すように、空気調和装置１１は、上側ファン１２と下側ファン１３とを、筐体２の左右方向に複数有する。
なお、図１３では、上側ファン１２と下側ファン１３とが３個ずつ設けられているが、そのような場合に限定されず、複数であればよい。
上側ファン１２と下側ファン１３とが、同数でなくてもよく、また、上側ファン１２と下側ファン１３とのどちらか一方のみが複数でもよい。
筐体２の正面側には、人感センサ１５が設けられる。
なお、人感センサ１５は、例えば、天井Ａ、他の装置等に設けられてもよい。
人感センサ１５は、室内の何処に人が居るかを検出する。
コントローラ１４には、複数の上側ファン１２と複数の下側ファン１３とフィルタ駆動機構７と人感センサ１５とが接続される。
コントローラ１４は、複数の上側ファン１２と複数の下側ファン１３とを、独立して制御する。
【００４４】
（空気調和装置の動作）
以下に、実施の形態３に係る空気調和装置の動作について説明する。
コントローラ１４は、人感センサ１５の検出結果を取得し、室内の何処に人が居るかを特定する。
コントローラ１４は、室内の何処に人が居るかに応じて、稼働させる上側ファン１２と下側ファン１３とを選択して設定する。
コントローラ１４は、暖房運転では、例えば、人が居る方向に気流を吹き出す下側ファン１３を、稼働させない。
コントローラ１４は、冷房運転では、例えば、人が居る方向に気流を吹き出す上側ファン１２を、稼働させる。
【００４５】
（空気調和装置の作用）
以下に、実施の形態３に係る空気調和装置の作用について説明する。
実施の形態３に係る空気調和装置では、室内の何処に人が居るかに応じて、稼働される上側ファン１２と下側ファン１３とが選択されるため、快適性と省エネ性とが向上される。
【００４６】
（変形例）
空気調和装置１１では、複数の上側ファン１２と複数の下側ファン１３とが、正面を向くように設けられているが、左右方向の外側のファンが左右方向の内側のファンと比較して外向きになるように設けられてもよい。
図１４は、実施の形態３に係る空気調和装置の変形例の、正面視した状態でのファンと人感センサの配置を示す図である。
なお、図１４では、暖房運転時の気流が示されている。
図１４に示すように、左右方向の外側のファンが左右方向の内側のファンと比較して外向きになるように設けられることで、暖房運転時及び冷房運転時に生じる室内の温度差が更に低減される。
【００４７】
また、複数の上側ファン１２又は複数の下側ファン１３の向きが、コントローラ１４によって制御されてもよい。
コントローラ１４は、人感センサ１５の検出結果に応じて、複数の上側ファン１２又は複数の下側ファン１３の向きを制御する。
複数の上側ファン１２又は複数の下側ファン１３の向きが制御されず、吹出口として機能する開口２ａ、２ｂに設けられたルーバの向きが制御されてもよい。
また、複数の上側ファン１２又は複数の下側ファン１３がそもそも首振り機能を有する場合には、コントローラ１４が、首振り角度を制御してもよい。
コントローラ１４は、上側ファン１２及び下側ファン１３の少なくともいずれか一方が、１つである場合には、人感センサ１５の検出結果によって、１つの上側ファン１２又は１つの下側ファン１３の向き、ルーバの向き、首振り角度等を制御してもよい。
また、使用者、保守作業者等によって、上側ファン１２又は下側ファン１３の向き、ルーバの向き、首振り角度等が、手動で切り替えられてもよい。
使用者、保守作業者は、例えば、レバー、スイッチ等の操作部を操作して切り替えてもよく、上側ファン１２、下側ファン１３、ルーバの接触可能な部分、つまり操作部を手で操作して切り替えてもよい。
【００４８】
空気調和装置１１では、暖房運転時及び冷房運転時に、複数の上側ファン１２と複数の下側ファン１３とが稼働されるが、省エネモード設定時、又は、低風量運転時には、１つの上側ファン１２と１つの下側ファン１３とのみが稼働され、省エネモード設定、又は、低風量運転が解除された場合に、複数の上側ファン１２と複数の下側ファン１３とが稼働されてもよい。
省エネモード設定時、又は、低風量運転時には、筐体２の対角線上にある１つの上側ファン１２と１つの下側ファン１３とが稼働されるとよい。
そのように構成されることで、熱交換器３が１つである等の場合において、熱交換器３を通過する気流の風速分布の偏りを抑制することができる。
【００４９】
空気調和装置１１では、コントローラ１４が、上側ファン１２と下側ファン１３とを稼働させるか否か、つまり、上側ファン１２と下側ファン１３とのＯＮ／ＯＦＦを設定しているが、コントローラ１４が、上側ファン１２と下側ファン１３との回転数の増減を設定してもよい。
【００５０】
空気調和装置１１では、複数の上側ファン１２と複数の下側ファン１３とが設けられているが、空気調和装置１のように、複数のファン４が設けられてもよい。
複数の上側ファン１２と複数の下側ファン１３とが設けられる場合には、開口２ａ、２ｂから吹き出された気流の指向性が高まり、快適性と省エネ性とが更に向上される。
【００５１】
実施の形態４．
実施の形態４に係る空気調和装置について説明する。
なお、以下では、実施の形態１乃至実施の形態３に係る空気調和装置と重複又は類似する説明については、適宜簡略化又は省略している。
【００５２】
（空気調和装置の構成）
以下に、実施の形態４に係る空気調和装置の構成について説明する。
図１５は、実施の形態４に係る空気調和装置の、斜方視した状態での内部構成を示す図である。
なお、図１５において、複数の上側ファン１２と複数の下側ファン１３と人感センサ１５以外の部材は図示を省略している。
図１５に示すように、空気調和装置１１は、複数の上側ファン１２と複数の下側ファン１３とを、筐体２の複数面に有する。
例えば、筐体２は、梁Ｃ等を取り囲む。
筐体２の各面には、人感センサ１５が設けられる。
コントローラ１４は、複数の上側ファン１２と複数の下側ファン１３とを、筐体２の面ごとに独立して制御する。
【００５３】
なお、図１５では、複数の上側ファン１２と複数の下側ファン１３とが、筐体２の４面に設けられているが、そのような場合に限定されず、複数面に設けられていればよい。
また、上側ファン１２と下側ファン１３とのそれぞれが、筐体２の面ごとに異なる数であってもよい。
【００５４】
図１６は、実施の形態４に係る空気調和装置の、斜方視した状態での内部構成を示す図である。
なお、図１６において、複数の上側ファン１２と複数の下側ファン１３と人感センサ１５とガイド部材１６以外の部材は図示を省略している。
図１６に示すように、筐体２は、梁Ｃ等を取り囲まなくてもよい。
そのような場合には、各面の開口２ａ、２ｂと熱交換器３との間の風路が、１つの風路に合流される。
熱交換器３は、１つであってもよく、複数であってもよい。
風路の合流部に、ガイド部材１６が設けられることで、気流の通過が円滑になる。
ガイド部材１６は、筐体２の上面と下面とのいずれか一方に設けられてもよい。
ガイド部材１６は、錐状の形状に限らず、梁Ｃのような直方状の形状でもよい。
【００５５】
（空気調和装置の動作）
以下に、実施の形態４に係る空気調和装置の動作について説明する。
コントローラ１４は、人感センサ１５の検出結果を取得し、筐体２のどの面の方向に人が居るかを特定する。
コントローラ１４は、筐体２のどの面の方向に人が居るかに応じて、複数の上側ファン１２と複数の下側ファン１３とを稼働させる筐体２の面を選択して設定する。
コントローラ１４は、暖房運転では、例えば、筐体２の人が居る方向の面に設けられた複数の下側ファン１３を、稼働させない。
コントローラ１４は、冷房運転では、例えば、筐体２の人が居る方向の面に設けられた複数の上側ファン１２を、稼働させる。
【００５６】
（空気調和装置の作用）
以下に、実施の形態４に係る空気調和装置の作用について説明する。
実施の形態４に係る空気調和装置では、筐体２のどの面の方向に人が居るかに応じて、稼働される複数の上側ファン１２と複数の下側ファン１３とが選択されるため、快適性と省エネ性とが向上される。
【００５７】
（変形例）
空気調和装置１１では、コントローラ１４が、複数の上側ファン１２と複数の下側ファン１３とを、筐体２の面ごとに独立して制御しているが、更に、同一の面に設けられた複数の上側ファン１２と複数の下側ファン１３とを独立して制御してもよい。
【００５８】
空気調和装置１１では、コントローラ１４が、複数の上側ファン１２と複数の下側ファン１３とを稼働させるか否か、つまり、複数の上側ファン１２と複数の下側ファン１３とのＯＮ／ＯＦＦを設定しているが、コントローラ１４が、複数の上側ファン１２と複数の下側ファン１３との回転数の増減を設定してもよい。
【００５９】
空気調和装置１１では、筐体２の各面に複数の上側ファン１２と複数の下側ファン１３とが設けられているが、空気調和装置１のように、筐体２の各面に複数のファン４が設けられてもよい。
筐体２の各面に複数の上側ファン１２と複数の下側ファン１３とが設けられる場合には、開口２ａ、２ｂから吹き出された気流の指向性が高まり、快適性と省エネ性とが更に向上される。
【００６０】
以上、実施の形態１乃至実施の形態４について説明したが、本発明は各実施の形態の説明に限定されない。
例えば、各実施の形態又は各変形例を組み合わせることも可能である。
【符号の説明】
【００６１】
１、１１  空気調和装置、２  筐体、２ａ、２ｂ  開口、３  熱交換器、４、４ａ、４ｂ  ファン、５  ドレンパン、６、６ａ、６ｂ  吸込フィルタ、７  フィルタ駆動機構、８、１４  コントローラ、１２、１２ａ、１２ｂ  上側ファン、１３、１３ａ、１３ｂ  下側ファン、１５  人感センサ、１６  ガイド部材、Ａ  天井、Ｂ  床面、Ｃ  梁。
【図１】
2014092287.tif 000003
【図２】
2014092287.tif 000004
【図３】
2014092287.tif 000005
【図４】
2014092287.tif 000006
【図５】
2014092287.tif 000007
【図６】
2014092287.tif 000008
【図７】
2014092287.tif 000009
【図８】
2014092287.tif 000010
【図９】
2014092287.tif 000011
【図１０】
2014092287.tif 000012
【図１１】
2014092287.tif 000013
【図１２】
2014092287.tif 000014
【図１３】
2014092287.tif 000015
【図１４】
2014092287.tif 000016
【図１５】
2014092287.tif 000017
【図１６】
2014092287.tif 000018